(57)【要約】【課題】とじ孔部分を丈夫にし破れ難くし、かつ製造し易く、しかも経済的に作ることができるファイル用紙を提供する。【解決手段】ファイル用紙本体（１）のとじ部（３）にとじ孔（４）を形成し、この用紙本体（１）のとじ孔部分に、そのとじ孔（４）の周縁部からこれに連続し用紙本体（１）のとじ部側の紙端（７）に至るまで延出する補強片（５）を貼着した。【選択図】　　　　図１
2004106334.tif 000002
【特許請求の範囲】
【請求項１】
用紙本体のとじ部にとじ孔を設け、この用紙本体の少くとも一方の面のとじ孔部分に、そのとじ孔の周縁部からこれに連続し用紙本体のとじ部側の紙端に至るまで延出する補強片を貼着したファイル用紙。
【請求項２】
補強片は、約０．０５ミリ（約２ミル）の薄い基片を有し、この基片に水溶性の接着剤を付設しこれを加熱して貼着した請求項１に記載のファイル用紙。
【請求項３】
補強片は、とじ孔の周縁部を被う周縁部分をほぼ半円形に形成し、これに連続して紙端に至る延出部分をほぼ矩形状に形成した請求項１または２に記載のファイル用紙。
【発明の詳細な説明】
【０００１】
【発明の属する技術分野】
本発明は、バインダーやファイルに綴じられるファイル用紙のとじ孔部分に補強片を設けたファイル用紙に関する。
【０００２】
【従来の技術】
ファイルに書類を綴る際に、その用紙にパンチでとじ孔を形成し、このとじ孔にリング状のとじ具やとじ紐を通して綴っている。
しかし、このようなファイル用紙は、使用中にとじ孔と紙端の間が破れ易く、これによって用紙が書類中より脱落することがあった。
そのために、とじ孔の周縁部にリング状のビニールパッチを貼着し、破れたとじ孔部分を補修したり、あるいは予めとじ孔にビニールパッチを貼着して補強したりしていた。
また、このようなビニールパッチは、リング状に形成されているので、破損した用紙のとじ孔部分を補修する際に、用紙を一旦とじ具やとじ紐から取り外し、そのとじ孔部分にビニールパッチを貼着した後、再びとじ具やとじ紐で綴じ直さなければならず面倒であった。
そこで、そのリング状のビニールパッチの一部分をカットしてＣ字形リング状に形成し、このビニールパッチを用紙を綴った状態のままでとじ孔の周縁部に貼着して補修するようにしたＣ字形ビニールパッチが考案されている（例えば特許文献１参照）。
【０００３】
【特許文献１】
登録実用新案第３０７６５２４号（第３頁、第１、２図）
【０００４】
【発明が解決しようとする課題】
従来のビニールパッチは、上記のようにリング状またはＣ字形リング状に形成されているので、このパッチと紙端との間が用紙となっており、このためにこの用紙の部分が切れ易く、これによって使用中にパッチ周辺の用紙部分が破れ用紙部分と共に取れてしまうことがあった。
本発明は、このような問題点を解消すると共に、とじ孔部分を丈夫にし破れ難くし、かつ製造し易く、しかも経済的に作ることができるファイル用紙を提供しようとするものである。
【０００５】
【課題を解決するための手段】
本発明は、ファイル用紙の少くとも一方の面のとじ孔部分に、とじ孔の周縁部から紙端に至るまで延出した補強片を貼着するようにしたものである。
また、上記補強片はその基片を約０．０５ミリ（単位ｍｍ−以下同じ）（約２ミル）ほどの薄さに形成し、この基片に水溶性の接着剤を付設し、これを加熱して貼着するようにしたものである。
更に、補強片は、とじ孔の周縁部分をほぼ半円形に形成すると共にこれに連続して紙端に至る延出部分をほぼ矩形状に形成したものである。
【０００６】
【発明の実施の形態】
本発明は、バインダーやシステム手帳等の各種ファイルに綴るためのファイル用紙に適用することができるものであるが、以下ノート用紙を実施例として説明する。
【０００７】
ファイル用紙（１）は、ファイル用紙本体（２）のとじ部（３）にとじ孔（４）を有し、このとじ孔の周辺部に補強片（５）が貼着されている。
この補強片（５）は、とじ孔（４）に対応するように形成した孔（１５）と、そのとじ孔（４）の周縁部を被う周縁部分（６）と、この周縁部分に連続してとじ部（３）側の紙端（７）に至る部分を被う延出部分（８）を備えている。
【０００８】
補強片（５）は、実施例ではその基片（９）をポリエステルフィルムで形成し、厚さを約０．０５ミリ（約２ミル）に薄く形成しているが、この基片はその他ビニル、ポリプロピレン、ポリエチレン、アセテートその他のフィルムで形成することができ、またその厚さは０．０５〜０．１ミリその他の寸法のものにすることができる。
【０００９】
この場合、補強片（５）は、その基片（９）の裏面に水溶性のアクリル等の接着剤（１０）が塗布等されており、この補強片を加熱して上記とじ孔の周辺部に貼着しているが、上記接着剤はその他天然ゴム系の接着剤・粘着剤、ポリビニルアルコール、ポリエチレン、ポリプロピレン、ポリ塩化ビニル、ポリスチレン、ポリビニルアミドその他の適宜の接着剤・粘着剤を用いることができ、またこの補強片は上記のように加熱したり、あるいは加熱せずに押圧等することによって貼着することができる。
【００１０】
上記補強片（５）をファイル用紙本体（２）に貼着する際に、これを機械的に行う方法として、用紙本体（２）のとじ部（３）に、上記接着剤を付設した補強片（５）を加熱（例えば９４〜９５℃）して貼着し、次に、その補強片部にとじ孔（４）を開け、その後、紙端（７）を切断して、紙端を揃えるという方法等がある。
【００１１】
なお、補強片（５）を貼着する際に、補強片を予め剥離紙（台紙）（１６）に仮着しておき、その補強片（５）を台紙より剥し、これをファイル用紙本体（２）のとじ孔（４）部分に貼着するようにしてもよい。
【００１２】
補強片（５）は、図３に示すようにファイル用紙本体の一方の面に、あるいは双方の面に形成することができるが、補強片を双方の面に形成する場合は、それぞれの面に独立して形成してもよく、又図４に示すように両面に連続するように形成してもよい。
【００１３】
補強片（５）は、実施例では、とじ孔の周縁部分（６）がほぼ半円形（この例では外形が約１６ミリに形成されているが、約１２〜１６ミリ等その他の寸法でもよい）に、これを連続する延出部分（８）がほぼ矩形状に形成されている。
なお、補強片は、図５に示すように周縁部分（６）をほぼ矩形状にしたり、図６に示すように延出部分（８）をほぼ台形状に形成したり、その他適宜の形状に形成することができる。
【００１４】
ファイル用紙（１）のとじ孔（４）は、実施例では２つに形成されているが、その他ファイル（１１）のとじ具（１２）の数に応じて３つ、４つ、６つその他の数（数が多い場合はその内の２つのとじ孔に補強片を貼着することがある）にすることができる。
なお、この場合、とじ孔（４）の径は、約６ミリになっている。このとじ孔の径はその他５〜６ミリ等適宜の大きさにすることができる。
【００１５】
上記ファイル用紙（１）には、適宜、罫線（１３）や見出し片（１４）を設けることができる。
【００１６】
【発明の効果】
本発明は、上記のように補強片をとじ孔の周辺部から紙端まで設けているので、破れ易い紙端部分を充分に補強することができ、丈夫であり、従来のビニールパッチのようにその周辺が破れてパッチが用紙と共に取れてしまうようなことがない。
また、補強片を薄く形成することができるので、ファイル用紙をノートのように重ねてもとじ部が嵩張らず、扱い易いと共に見映えもよく、しかもファイル用紙をプリンターに通しても厚さが薄いから印刷に支障がない。
また、補強片を上記のような形状や大きさに形成することができ、作り易く、かつファイル用紙を機械的に形成することができることと相俟って経済的に作ることができる。
【図面の簡単な説明】
【図１】本発明の実施例を示す斜面図である。
【図２】補強片の拡大平面図である。
【図３】とじ孔部の拡大断面図である。
【図４】とじ孔部の他の例を示す拡大断面図である。
【図５】補強片の他の例を示す拡大平面図である。
【図６】補強片の更に他の例を示す拡大平面図である。
【図７】ファイル用紙をファイルに綴じた状態を示す斜面図である。
【図８】補強片を剥離紙に仮着した状態を示す斜面図である。
【符号の説明】
１　ファイル用紙　　２　ファイル用紙本体　　４　とじ孔　　５　補強片
６　周縁部分　　７　紙端　　８　延出部分　　９　基片　　１０　接着剤
【図１】
2004106334.tif 000003
【図２】
2004106334.tif 000004
【図３】
2004106334.tif 000005
【図４】
2004106334.tif 000006
【図５】
2004106334.tif 000007
【図６】
2004106334.tif 000008
【図７】
2004106334.tif 000009
【図８】
2004106334.tif 000010